(57)【要約】【課題】仮置きされたトラスの端部にプレートを取り付ける作業の手間を低減できる吊り上げ治具を提供する。【解決手段】吊り上げ治具２０は、トラス１０を仮置きしたときに傾斜状態となるトラス端部１０ｂにフロアプレート１４の取付作業を行う際に、フロアプレート１４を吊り上げ状態で保持する治具であり、フロアプレート１４を吊り上げ可能に構成された第１アーム３１，３５，第２アーム３２，３６を備え、各アーム３１，３２，３５，３６はトラス１０における端部１０ｂの傾斜に沿うように水平方向Ｘに対して３０°傾斜した状態でフロアプレート１４を吊り上げるものである。【選択図】図２
2020164269.tif 000002
【特許請求の範囲】
【請求項１】
乗客コンベア用トラスを仮置きしたときに傾斜状態となる前記トラス端部にプレートの取付作業を行う際、前記プレートを吊り上げ状態で保持するために用いる吊り上げ治具であって、
前記プレートを吊り上げ可能に構成された複数のアームを備え、
前記複数のアームは、前記トラス端部の傾斜に沿うように予め設定された大きさの傾斜角で前記プレートを吊り上げることを特徴とする、
吊り上げ治具。
【請求項２】
前記複数のアームは、前記プレートを挟み込むように回動可能に構成されている、
請求項１に記載の吊り上げ治具。
【請求項３】
前記複数のアームには、前記プレートを吊り上げるための係止爪が設けられている、
請求項１または２に記載の吊り上げ治具。
【発明の詳細な説明】
【技術分野】
【０００１】
本発明は、乗客コンベア用トラスにフロアプレートやコムプレートなどのプレートを取り付ける際に用いる吊り上げ治具に関する。
【背景技術】
【０００２】
乗客コンベア用トラスは、上階乗場および下階乗場を各々構成するトラス両端部と、同両端部を接続する傾斜部から構成されている。そして、トラスには、トラス端部の乗場床面を構成するフロアプレートやコムが取り付けられたコムプレートの他、多数の部品が各所に取り付けられている。これらの部品は、トラスを据付予定地に向けて出荷する前に工場内でトラスを一旦組み立てて仮置きした状態でトラスに取り付けられる。
【０００３】
また、トラスを仮置きした状態では、据付時と異なり上・下階の乗場を各々構成するトラス端部が水平方向に対して傾斜した状態となる。このため、上述したフロアプレートやコムプレートは、ワイヤなどを用いて吊り上げた状態でトラス端部に取り付ける必要がある。
【発明の概要】
【発明が解決しようとする課題】
【０００４】
しかしながら、上記プレートの取付方法では、ワイヤをプレートに巻き掛ける必要がありプレートの吊り上げ作業に手間がかかるという問題がある。また、プレートを取り付ける際、仮置きされたトラス端部の傾斜に沿うようにプレートを手で押さえて傾けた状態に保持しつつ取り付け作業を行う必要もありプレートの取付作業が行い難いという問題もある。
【０００５】
本発明では、仮置きされたトラスの端部にプレートを取り付ける作業の手間を低減できる吊り上げ治具を提供することを目的とする。
【課題を解決するための手段】
【０００６】
本発明の吊り上げ治具は、乗客コンベア用トラスを仮置きしたときに傾斜状態となるトラス端部にプレートの取付作業を行う際に、プレートを吊り上げ状態で保持するために用いる吊り上げ治具であって、プレートを吊り上げ可能に構成された複数のアームを備え、複数のアームは、トラス端部の傾斜に沿うように予め設定された大きさの傾斜角でプレートを吊り上げることを特徴とする。
【０００７】
本発明の吊り上げ治具において、複数のアームは、プレートを挟み込むように回動可能に構成されてもよい。
【０００８】
また、本発明の吊り上げ治具において、複数のアームには、プレートを吊り上げるための係止爪が設けられていてもよい。
【発明の効果】
【０００９】
本発明の吊り上げ治具によれば、複数のアームを用いてトラス端部の傾斜に沿うように予め設定された傾斜角でプレートを吊り上げることができる。これにより、ワイヤなどの吊具をプレートに巻き掛ける手間を要することなくプレートを吊り上げることができる。また、プレートを手で押さえて傾けた状態に保持する手間を要することなくトラス端部の傾斜に沿うようにプレートを傾けた状態に保持できる。この結果、トラス端部にプレートを取り付ける作業の手間を低減できる。
【図面の簡単な説明】
【００１０】
【図１】本発明の一実施形態である吊り上げ治具が適用される仮置きされた乗客コンベア用トラスの構成と、同トラスの据付時の構成を四角枠の中に示す図である。
【図２】図２（ａ）は吊り上げ治具のアームが開いた状態を示す側面図である。図２（ｂ）は、図２（ａ）に示す吊り上げ治具のアームが閉じた状態を示す側面図である。図２（ｃ）は、図２（ａ）に示すＡ方向から見たときの吊り上げ治具の構成を示す図である。
【図３】図３（ａ）は、作業台に積載されたプレートを吊り上げ治具で吊り上げる直前の状態を示す図である。図３（ｂ）は、作業台のプレートを吊り上げ治具で挟み込んだ状態を示す図である。図３（ｃ）は、吊り上げ治具でプレートを吊り上げた状態を示す図である。
【発明を実施するための形態】
【００１１】
以下、本発明の一実施形態である吊り上げ治具２０について、図面を参照しながら説明する。図中に示す「Ｘ」は上面視におけるトラス長手方向と略平行な水平方向を、「Ｙ」は床面に直交する上下方向を、「Ｚ」は水平方向Ｘおよび上下方向Ｙに直交する幅方向を各々示す。
【００１２】
図１に示すように、吊り上げ治具２０は、工場内に仮置きされた乗客コンベア用トラス（以下、「トラス」と表記する）１０の端部１０ａ，１０ｂに、乗場１２ａ，１２ｂの床面を構成するフロアプレート１４を取り付ける際に用いられる吊具である。
【００１３】
トラス１０は、乗客コンベアの自重を支えるトラス構造や、はり構造からなる構造体であり、据付時において上・下階に各々架設されるとともに乗場１２ａ，１２ｂを各々構成する両端部１０ａ，１０ｂと、両端部１０ａ，１０ｂ間に形成された傾斜部１０ｃから構成される。また、据付時における傾斜部１０ｃの水平方向Ｘに対する傾斜角α（図１参照）は一例として３０°に設定される。
【００１４】
また、図１に示すように、トラス１０を仮置きする際、作業台１６にトラス１０の傾斜部１０ｃを載せた状態で仮置きする場合がある。この場合にはトラス１０の傾斜部１０ｃが水平に設置される一方、両端部１０ａ，１０ｂは各々水平方向Ｘに対して傾斜角α、すなわち、３０°傾斜した状態で仮置きされることとなる。従って、トラス１０の両端部１０ａ，１０ｂにフロアプレート１４を取り付ける際にはフロアプレート１４をトラス１０の両端部１０ａ，１０ｂの傾斜に沿わせつつ取り付ける必要がある。そこで、本実施形態の吊り上げ治具２０を用いてフロアプレート１４をトラス１０の両端部１０ａ，１０ｂの傾斜に沿うように吊り上げつつフロアプレート１４の取り付け作業が行われる。
【００１５】
図２（ａ）は、吊り上げ治具２０の第１アーム３１および第２アーム３２が開いた状態を示す図である。図２（ｂ）は、吊り上げ治具２０の第１アーム３１および第２アーム３２が閉じた状態を示す図である。図２（ｃ）は、図２（ａ）に示すＡ方向から見たときの吊り上げ治具２０の構成を示す図である。
【００１６】
図２（ａ）〜図２（ｃ）に示すように、吊り上げ治具２０は、水平方向Ｘに対して３０°傾斜した状態でフロアプレート１４を吊り上げる機能を有するリンク機構２２を含む。このリンク機構２２は、左右一対のリンクユニット２４，２６を軸２８ａ，２８ｂ，２８ｃ，２８ｄの両軸端部に各々回転可能に連結して構成される。ここで、両リンクユニット２４，２６は同一構成を備えるため、以下の説明ではリンクユニット２４について主に説明を行うとともに、リンクユニット２６については適宜説明を省略する。
【００１７】
リンクユニット２４は、第１アーム３１、第２アーム３２、第１リンク３３、および、第２リンク３４を各々回転可能に連結してなる４節リンク機構を含む。第１アーム３１および第２アーム３２は、側面視において、互いに重ね合わせて交差させた状態で交差部を回転可能に軸２８ａに軸支される。また、第１アーム３１の下側部分は、閉じた状態において、第２アーム３２の方に向かって折れ曲がるように構成されている。そして、第１アーム３１の下端部には、係止爪３１ａを設けるのが好ましい。これにより、第２アーム３２との間でプレート１４を挟み込んだときにプレート１４を吊り上げることができる。本実施形態では、第１アーム３１に係止爪３１ａが設けられているが、例えば、プレート１４に係合部を設け、吊り上げるときに第１アーム３１をプレート１４の係合部に係合させるようにしてもよい。
【００１８】
さらに、図２（ａ）に示すように、第１アーム３１において、係止爪３１ａの直上方に切り欠き部３１ｂを設けるのが好適である。これにより、プレート１４を挟み込んだときにプレート１４の端部を切り欠き部３１ｂに嵌まり込ませることができ、第２アーム３２との間でプレート１４をしっかり挟み込んだ状態で吊り上げること可能となる。
【００１９】
また、図２（ａ）および図２（ｂ）に示すように、第１アーム３１の係止爪３１ａは、リンクユニット２６における第１アーム３５の係止爪３５ａと連結板ＰＬ１（図２（ｃ）参照）を介して接続される。第２アーム３２も、第１アーム３１と同様に、第１アーム３１の方に向かって折れ曲がるように構成されており、下端部に係止爪３２ａが設けられている。この係止爪３２ａは、リンクユニット２６における第２アーム３６の係止爪３６ａと連結プレートＰＬ２（図２（ｃ）参照）を介して接続される。
【００２０】
第１アーム３１の上端部および第１リンク３３の下端部は、側面視において、重ね合わせた状態で軸２８ｂに軸支される。同様に、第２アーム３２の上端部および第２リンク３４の下端部も、重ね合わせた状態で軸２８ｃに軸支される。
【００２１】
そして、両リンク３３，３４の上端部は、側面視において、重ね合わせた状態で支持軸２８ｄに回転可能に軸支される。この支持軸２８ｄには、吊具３７が回転可能な状態で挿通される。吊具３７は、クレーン（不図示）にワイヤ（不図示）を介して吊り下げられたロープ１８が挿通される環状部３７ａが上部に設けられており、このロープ１８を介してクレーン（不図示）に吊り下げられている。また、支持軸２８ｄには、吊具３７を挟み込むように長手方向における中央部周辺に複数のリブＲ１，Ｒ２，Ｒ３，Ｒ４が設けられている。これにより、支持軸２８ｄの中央部から吊具３７がずれないように位置決めしている。
【００２２】
続いて、上述したリンク機構２２の動作について、図２（ａ）および図２（ｂ）を用いて説明する。図２（ａ）は、第１アーム３１および第２アーム３２が互いに離れて開いた位置にあるときのリンク機構２２の状態を示す図である。図２（ｂ）は、第１アーム３１および第２アーム３２が互いに接近して閉じた位置にあるときのリンク機構２２の状態を示す図である。図２（ａ）および図２（ｂ）に示すように、リンク機構２２は、上下方向に縮んだときに両アーム３１，３２が相対的に離間して開いた状態となるよう回動し、上下方向に伸びたときに両アーム３１，３２が相対的に接近して閉じた状態となるよう回動する。リンク機構２２は、図２（ｂ）に示すように、両アーム３１，３２の間に何も挟み込んでいない状態で吊り下げられているときは自重により両アーム３１，３２が閉じた状態となる。
【００２３】
また、図２（ａ）に１点鎖線で示すように、両アーム３１，３２を開いた位置に回動させて係止爪３１ａ，３２ａをフロアプレート１４の下面側に差し込んで吊り上げると、上述したリンク機構２２の自重に加えフロアプレート１４の自重が両アーム３１，３２に各々作用することにより両アーム３１，３２は互いに接近する方向へ回動しようとする。このため、両アーム３１，３２がフロアプレート１４をしっかりと挟み込んだ状態で吊り上げることが可能となる。
【００２４】
また、図２（ａ）に示すように、リンクユニット２４は、両アーム３１，３２がフロアプレート１４を挟み込んだときにフロアプレート１４の水平方向Ｘに対する傾斜角βが３０°なるように、第２アーム３２よりも第１アーム３１の方が上下方向Ｙにおける長さが長く形成されている。
【００２５】
なお、本実施形態では、リンクユニット２４がフロアプレート１４を挟み込んだときにフロアプレート１４の傾斜角βが３０°となるように吊り上げているが、フロアプレート１４の傾斜角βの大きさは３０°より大きくてもよいし、３０°より小さくてもよい。また、リンクユニット２４がフロアプレート１４を挟み込んだときのフロアプレート１４の傾斜角βの大きさはフロアプレート１４をトラス１０の端部１０ａ，１０ｂに沿わせつつ取り付けることができる大きさであればよく、必ずしも、トラス１０の端部１０ａ，１０ｂの傾斜角α（図１参照）の大きさに一致していなくてもよい。
【００２６】
次に、図３（ａ）〜図３（ｃ）を参照しつつ、吊り上げ治具２０を用いて作業台１６にスペーサＳＰ１，ＳＰ２，ＳＰ３，ＳＰ４を間に挟んで積み重ねた状態で載置されたフロアプレート１４−１，１４−２を順に吊り上げてトラス１０の端部１０ｂに取り付けるときの作業手順を説明する。フロアプレート１４−１，１４−２は、フロアプレート１４と略同一の構成を具備するプレートであり、以下の説明において、特に区別する必要が無い場合にはハイフン以下を省略してプレート「１４」と適宜表記する。
【００２７】
図３（ａ）および図３（ｂ）に示すように、クレーンを操作して吊り上げ治具２０を作業台１６の直上方まで移動させてから下降させ、両アーム３１，３２の係止爪３１ａ，３２ａをフロアプレート１４−１の下面側に各々挿し込む。そして、この状態で、ワイヤ（不図示）を介して吊り上げ治具２０をクレーン（不図示）で吊り上げる。この際、リンク機構２２の自重に加え、フロアプレート１４の自重が両アーム３１，３２に作用することで、両アーム３１，３２がフロアプレート１４を挟み込むように各々内側に回動しようとする。このため、図３（ｃ）に示すようにフロアプレート１４を両アーム３１，３２でしっかりと挟み込んだ状態で吊り上げることができる。
【００２８】
この際、図３（ｃ）に示すように、フロアプレート１４はトラス１０の端部１０ｂの傾斜に沿うように約３０°傾斜した状態で吊り上げられる。そして、図１に示すように、クレーンを用いてフロアプレート１４を吊り上げた状態でトラス１０の端部１０ｂの位置まで吊り上げ治具２０を移動させ、フロアプレート１４をトラス１０の端部１０ｂの傾斜に沿わせつつボルトなどを用いてトラス端部１０ｂに固定する。フロアプレート１４−１の固定後、吊り上げ治具２０をフロアプレート１４−１から取り外して取付作業が終了する。また、他のフロアプレート１４−２についても同様の手順で取付作業を実施する。
【００２９】
本実施形態では、吊り上げ治具２０を用いてフロアプレート１４をトラス１０の端部１０ｂに取り付ける例を挙げているが、反対側の端部１０ａにフロアプレート１４を取り付ける際に吊り上げ治具２０を用いてもよい。
【００３０】
本実施形態の吊り上げ治具２０によれば、第１アーム３１，３５および第２アーム３２，３６を用いてトラス端部１０ｂの傾斜に沿うように水平方向Ｘに対して３０°傾斜した状態でフロアプレート１４を吊り上げることができる。これにより、ワイヤなどの吊具をフロアプレート１４に巻き掛ける手間を要することなくフロアプレート１４を吊り上げることができる。また、フロアプレート１４を手で押さえて傾けた状態で保持する手間を要することなく、トラス端部１０ｂの傾斜に沿うようにフロアプレート１４を傾けた状態で保持できる。この結果、トラス端部１０ｂにフロアプレート１４を取り付ける作業の手間を低減できる。
【００３１】
上記実施形態では、吊り上げ治具２０を用いてフロアプレート１４を吊り上げる例を挙げて説明しているが、吊り上げ治具２０を用いて吊り上げるプレートは、フロアプレートに限らず、例えば、先端にコムが取り付けられたコムプレートやその他のプレート材を吊り上げ治具２０で吊り上げてトラス１０の端部１０ａ，１０ｂに取り付けるようにしてもよい。
【００３２】
上記実施形態では、トラス１０の傾斜部１０ｃが作業台１６に仮置きされている例を挙げて説明しているが、例えば、作業台１６を用いずにトラス１０を床面に仮置きするようにしてもよい。この場合においても、トラス１０における両端部１０ａ，１０ｂの水平方向Ｘに対する傾斜角に基づいて、吊り上げ治具２０がプレート１４を吊り上げたときの水平方向Ｘに対するプレート１４の傾斜角がトラス１０における両端部１０ａ，１０ｂの傾斜に沿うように吊り上げ治具２０を構成すればよい。
【００３３】
上記実施形態では、リンク機構２２を用いて吊り上げ治具２０を構成する例を挙げているが、トラス１０における端部１０ｂの傾斜に沿わせつつ傾斜状態でプレート１４を吊り上げるよう構成されている場合にはリンク機構を用いて両アーム３１，３２を回動可能に構成しなくともよい。
【００３４】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００３５】
１０    トラス
１０ａ，１０ｂ    端部
１０ｃ    傾斜部
１４    フロアプレート
２０    吊り上げ治具
３１，３５    第１アーム
３１ａ，３５ａ    係止爪
３２，３６    第２アーム
３２ａ，３６ａ    係止爪
Ｘ    水平方向
Ｙ    上下方向
Ｚ    幅方向
α，β    傾斜角
【図１】
2020164269.tif 000003
【図２】
2020164269.tif 000004
【図３】
2020164269.tif 000005